(57)【要約】【課題】ネクタイの結び目の下端部付近に装着する装身具であって、着脱が容易で、ネクタイを傷めることがなく、かつ装飾性を高め得るネクタイ飾りを提供することである。【解決手段】リングの一部が所定隙間で開口したリング状部材１０を備え、その開口部からネクタイの結び目の下端部付近をはめ入れて、ネクタイにその結び目下端部付近で止め得るようにしたネクタイリング１６を構成した。【選択図】      図１
2004166933.tif 000002
【特許請求の範囲】
【請求項１】
ネクタイの結び目の下端部付近に装着する装身具であって、リングの一部が所定の隙間で開口したリング状部材を備え、その開口部からネクタイをリング状部材の内側にはめ入れてネクタイに止め得るようにしたネクタイリング。
【請求項２】
開口部の両端に球状部が設けられてなる請求項１記載のネクタイリング。
【請求項３】
リング状部材は少なくとも開口部の隙間の大きさを指等では変えることができない程度の剛性を有するようにした請求項１もしくは請求項２記載のネクタイリング。
【請求項４】
リング状部材にチエンもしくは紐状部材の一端部が連結されその他端部には衣服、ネクタイ等に止め得る挟持部材が連結されてなる請求項１〜請求項３のいずれか１項に記載のネクタイリング。
【請求項５】
リング状部材が貴金属、金属、ガラス、陶器、プラスチック、石材、木、練物等一定の剛性を有する材料のいずれか１または２以上で構成された請求項１〜請求項４のいずれか１項に記載のネクタイリング。
【発明の詳細な説明】
【０００１】
【発明の属する技術分野】
本発明はネクタイに装着する装身具に関するものであり、特にリングの一部が所定の隙間で開口されたリング状部材で構成され、開口部からネクタイを内側にはめ入れてネクタイの結び目の下端部付近に取り付け得るようにしたネクタイ用装身具に関するものである。
【０００２】
【従来の技術】
【特許文献１】特開平６−３８８１６号公報
【特許文献２】特開２００２−１７４０６号公報
従来より、ネクタイの結び目付近に装着するようにしたネクタイ飾り（装身具）が提案されている。それには、▲１▼曲率半径の異なる２つの円弧状部材が曲率半径の小さい方の部材を内側にして組み合わされ、この２つの部材により囲まれる空間部内にネクタイの結び目の下端部付近が来るようにして取付け、ネクタイを折り目のない良好な状態に保持するようにしたもの（特開平６−３８８１６号）、▲２▼前部から見た形状が逆台形状をなし、ネクタイの結び目を覆い包み込むようにして引掛けて装着するようにしたもの（特開２００２−１７４０６号）等がある。
【０００３】
【発明が解決しようとする課題】
ところが、このようなネクタイ飾り（装身具）では、以下のような問題点がある。すなわち前記▲１▼のネクタイ飾り（装身具）では、ネクタイへの装着は先ず２つの円弧状部材端部の係止接続部を外し、円弧状部材間の隙間を拡げてからネクタイを入れ、しかる後円弧状部材を閉じ、係止接続部を掛け止めしなければならないので、装着が煩わしい上に、装着に時間が掛かり、装着が簡単容易ではない。
▲２▼のネクタイ用アクセサリ（装身具）では、ネクタイの結び目全体を覆い隠してしまうので、結び目の持つ趣味感が損なわれる。また、着脱時にネクタイを傷めるおそれがある。
本発明はこのような事情を背景としてなされたものであり、本発明の目的は
取付、取外しが簡単容易で、ネクタイを傷めることがなく、装飾性を高め得るネクタイの結び目の下端部付近に取り付ける装身具を提供することである。
【０００４】
【課題を解決するための手段】
このような目的を達成するためになされた本発明は、次のように構成される。
Ａ  ネクタイの結び目の下端部付近に装着する装身具であって、リングの一部が所定の隙間で開口したリング状部材を備え、その開口部からネクタイをリング状部材の内側にはめ入れてネクタイに止め得るようにしたネクタイリング。
Ｂ  開口部の両端に球状部が設けられてなるＡ項記載のネクタイリング。
Ｃ  リング状部材は少なくとも開口部の隙間の大きさを指等では変えることができない程度の剛性を有するようにしたＡ項もしくはＢ項記載のネクタイリング。
Ｄ  リング状部材にチエンもしくは紐状部材の一端部が連結されその他端部には衣服、ネクタイ等に止め得る挟持部材が連結されてなるＡ項〜Ｃ項のいずれか１項に記載のネクタイリング。
Ｅ  リング状部材が貴金属、金属、ガラス、陶器、プラスチック、石材、木、練物等一定の剛性を有する材料のいずれか１または２以上で構成されたＡ項〜Ｄ項のいずれか１項に記載のネクタイリング。
ここに、「リングの一部が所定の隙間で開口した」とは、リングの一部が所定の隙間で途切れていることを意味する。
【０００５】
【発明の実施の形態】
以下本発明の実施例を記載した図面に基づいて、発明の実施の形態を詳細に説明する。
図１において１０は断面が円形のリングが一部で途切れ、開口したリング状部材であり、その開口部の両端には球状部１２、１４が形成され、ネクタイリング１６が構成される。ネクタイリング１６を装着するには、両球状部１２、１４間の隙間からネクタイの結び目の下端部付近を内側に入れてから、球状部１２、１４がネクタイの裏側に来るように、ネクタイリング１６を廻せばよい。片手でネクタイリングを持ち、他の片手でネクタイを持って両球状部間に誘導し、ネクタイリング内にネクタイをはめ得るので、使用が容易であるという利点がある。図２はネクタイ２０の結び目２２の下端部付近にネクタイリング１６を装着した状態を示す。
【０００６】
両球状部１２、１４間の好適な隙間Ｃは使用するネクタイの生地の厚さ、幅、結び目の大きさ等によっても異なるが、本実施例では１０ｍｍ程度とされている。また、ネクタイリング１６は、内側にはめ入れたネクタイが多少締め付けられた状態となることによって装着状態が保持されるものであるから、ネクタイリング１６の内径は、前記同様ネクタイの生地の厚さ、幅、結び目の大きさ等を考慮して決定されるべきであるが、少なくとも下方にずり落ちない程度とすることが望ましい。なお、ネクタイリング１６は、開口部を有するのでネクタイのサイズが大きい場合や結び目が大きい場合等でもネクタイの一部が開口部から多少はみ出した状態に装着できるから、ネクタイのサイズ等に対する融通性が大きいという利点がある。球状部１２、１４はネクタイをネクタイリング内側にはめ入れる際ネクタイを誘導すると共にネクタイの損傷を防止する役割を有し、さらに一旦はめ入れたネクタイがネクタイリング外にはみ出してくることを防止する役割を有する。従って、球状部の径はリング状部材１０の線径よりある程度大きくすることが望ましい。また、ネクタイリング１６は、指で摘んだ際開口部の隙間が変わらない程度の剛性を持つようにされている。
ネクタイリング１６は本実施例では、プラチナ製であるが、その他の貴金属、金属、ガラス、陶器、プラスチック、石材、木、練物等を使用することも可能である。また、リング状部材の線径は装着時の装飾性等を考慮して決定されるべきであるが、指で摘んだ際開口部の隙間が変わらない程度の剛性を持つことが望ましい。
【０００７】
図３は本発明の他の実施例を示す。なお、変更を要しない部分は同一の番号を付して詳しい説明は省略する。
ネクタイリング１６に鎖２４の一端部を連結し、その他端部にはネクタイピンのような構成の挟持部材２６を連結し、衣服、ネクタイ等に止め得るようにしたものである。挟持部材２６は平坦な長手状部分の一端が鋭角に折り曲げられてなる連結部２８を有する本体部３０と、先端部に鋸歯が形成された挟持部３２とが、連結部２８の先端と挟持部３２の中間で回動可能にピン結合し、かつ連結部２８と挟持部３２との間にねじりばね（図示省略）を配置し、挟持部３２の先端が常時閉じるように付勢させたものである。３４は挟持部３２に取り付けた板ばねである。
ネクタイリング１６は鎖２４で結ばれているので、ネクタイから脱落して紛失することを防止し得る利点がある。挟持部材としてネクタイピンを使用すれば、同時に装飾性を高め得る利点がある。挟持部材２６に代えてクリップ等を使用することも可能である。
【０００８】
前記実施例においては、リング状部材として断面が円形のものを使用したが、これに代えて、例えば三角形〜八角形等のような多角形のもの、楕円形のもの、不定形のもの等を使用することも可能である。また、ネクタイリングと挟持部材を連結する鎖に代えて、他の紐状部材を使用することも可能である。
以上本発明の実施例について説明したが、本発明はこのような実施例に何ら限定されるものではなく、本発明の要旨を逸脱しない範囲において種々なる態様で実施し得ることはもちろんである。
【０００９】
【発明の効果】
本発明は上述のように構成されているので、次に記載する効果を奏する。
本発明のネクタイリングは一部が常に所定隙間で開口しているので、片手でネクタイリングを持ち、他の片手でネクタイを持って両球状部間に誘導し、ネクタイリング内にネクタイをはめ得るので、使用が容易であるという利点がある。
ネクタイリングは、開口部を有するのでネクタイのサイズが大きい場合や結び目が大きい場合等でもネクタイの一部が開口部から多少はみ出した状態に装着できるから、ネクタイのサイズ等に対する融通性が大きいという利点がある。
開口部の両端に球状部を形成すれば、開口部の隙間からネクタイを内側にはめ入れることが容易で、かつ着脱時や使用中のネクタイの損傷を防止し得る利点があり、さらに、使用中にネクタイリングがネクタイから外れ落ち難くなし得る利点もある。
リング状部材を所定の剛性を有するようにしておけば、使用時に開口部の隙間が変動せず、ネクタイをはめ入れ易く使用が容易である。
ネクタイリングを鎖や紐等を介して挟持部材を連結し、シャツ、ネクタイ等に挟持しておけば、ネクタイリングの紛失を防止し得る利点がある。
【図面の簡単な説明】
【図１】（イ）、（ロ）は本発明の一実施例を示す平面図と正面図である。
【図２】同実施例の使用状態を示す説明図である。
【図３】本発明の他の実施例を示す説明図である。
【符号の説明】
１０  リング状部材
１２  球状部
１４  球状部
１６  ネクタイリング
２０  ネクタイ
２２  結び目
２４  鎖
２６  挟持部材
【図１】
2004166933.tif 000003
【図２】
2004166933.tif 000004
【図３】
2004166933.tif 000005